(57)【特許請求の範囲】
【請求項１】
相互に対向して近接離反する一対の挟持片を複数組設け、各組の挟持片の挟持部を線材の線方向に位置をずらせて配置し、各組を構成する各一対の挟持片が交叉する向きに近接離反するようにし、各組の挟持片の挟持部が線材の線方向位置で線材を挟持するように配置してある線材チャック装置。
【請求項２】
上記一対の挟持片が２組であり、各一対の挟持片が直交する向きに近接離反する上記請求項１に記載の線材チャック装置。
【請求項３】
各挟持片が長片と短片からなるＬ字形状をし、各組をなす一対のＬ字形状の挟持片の短片側の先端の挟持部が近接離反するよう、長片の中間部を不動の支持片に回動可能に軸支してある上記請求項１又は２に記載の線材チャック装置。
【請求項４】
各組の挟持片がそれぞれ対を構成する挟持片の長片間に牽引スプリングを掛け渡して短片側の先端の挟持部が離反する方向の弾性力を付与し、挟持片の長片間に作動部材を介入することにより短片側の先端の挟持部を近接して線材を挟持するようにしてある上記請求項１乃至３の何れかに記載の線材チャック装置。
【請求項５】
上記挟持片の長片の端部の内側に傾斜部を形成し、作動部材が倒立円錐台形状をしている上記請求項４に記載の線材チャック装置。
【請求項６】
上記不動の支持片が十字状をし、それぞれの突出片にスリットを形成し、このスリット内に挟持片の長片中間部を介入して軸支してある上記請求項２乃至５の何れかに記載の線材チャック装置。
【請求項７】
不動の支柱の下端に上記支持片を固定し、該支柱に捻子を設け、この捻子に上記作動部材に回転可能に設けたチャック開閉ノブを螺合し、チャック開閉ノブの回転作動により、この作動部材が挟持片の長片間に介入離脱するようにしてある上記請求項４乃至６の何れかに記載の線材チャック装置。
【発明の詳細な説明】
【０００１】
【発明の属する技術分野】
本発明は、電線捻回試験機に代表される例えば線材捻回試験機における線材チャック装置に関する。
【０００２】
【従来の技術】
例えば電線捻回試験機では、電線の両端をチャックして緊張状態とし、この状態で線材を連続捻回して断線するまでの捻回回数を試験するものである。
この電線捻回試験機では、極細線から太線まで、種々の直径の電線をチャックして捻回試験をする。
そして従来公知のチャック装置は３つ又は４つに分割されたチャック片を、それぞれ線材に対して同一個処でチャッキングを行う構造となっている。
【０００３】
【発明が解決しようとする課題】
例えばこの電線捻回試験機では、上記した通り、極細の線材までしっかりとチャックできなければならないが、従前公知のチャック装置では極細線はチャックできないという課題がある。さらにこの電線捻回試験機では、線材のチャック部分を緊張した線材の指向方向に一致させてチャックの中心にチャックしなければならない。即ち線材のチャック部分が緊張した線材の指向方向から傾斜する方向に向いてチャックされたり、チャックの中心から外れた位置でチャックされると、例えば捻回試験の正確な試験結果が得られないという課題がある。
本発明は、上記の課題に鑑み、極細から太い線材まで確実にチャックできるとともに、チャックの中心にしかも線材の指向方向に合致させてチャックできる新規なチャック装置を提供するものである。
【０００４】
【課題を解決するための手段】
そのため、本発明の線材チャック装置は、相互に対向して近接離反する一対の挟持片を複数組設け、各組の挟持片の挟持部を線材の線方向に位置をずらせて配置し、各組を構成する各一対の挟持片が交叉する向きに近接離反するようにし、各組の挟持片の挟持部が線材の線方向位置で線材を挟持するように配置してある。これによりきわめて極細の線材でもチャックできる。また、線材をチャックの中心にしかも緊張した線材の指向方向に直線状にチャックできる。
【０００５】
また、上記一対の挟持片が２組であり、各一対の挟持片が直交する向きに近接離反するようにしてある。これによりきわめて極細の線材でもチャックでき、正確な試験結果が得られ、チャック装置の構成を簡単にできる。
さらに、各挟持片が長片と短片からなるＬ字形状をし、各組をなす一対のＬ字形状の挟持片の短片側の先端の挟持部が近接離反するよう、長片の中間部を不動の支持片に回動可能に軸支してある。これにより対向する一対の挟持片の挟持部によって確実に線材を挟持できる。
【０００６】
各組の挟持片がそれぞれ対を構成する挟持片の長片間に牽引スプリングを掛け渡して短片側の先端の挟持部が離反する方向の弾性力を付与し、挟持片の長片間に作動部材を介入することにより短片側の先端の挟持部を近接して線材を挟持するようにしてある。これにより挟持片の近接離反の作用を簡易な構造によって得られる。
また、上記挟持片の長片の端部の内側に傾斜部を形成し、作動部材が倒立円錐台形状をしている。これにより挟持片の近接離反作用を円滑に行える。
【０００７】
上記不動の支持片が十字状をし、それぞれの突出片にスリットを形成し、このスリット内に挟持片の長片中間部を介入して軸支してある。これにより挟持片の支持構造を簡潔にできる。
また、不動の支柱の下端に上記支持片を固定し、該支柱に捻子を設け、この捻子に上記作動部材に回転可能に設けたチャック開閉ノブを螺合し、チャック開閉ノブの回転作動により、この作動部材が挟持片の長片間に介入離脱するようにしてある。これにより作動部材の作動を正確、円滑にできる。
【０００８】
【発明の実施の形態】
発明の実施の形態を実施例に基づき図面を参照して説明する。図面に示した実施例は、相互に対向して近接離反する一対の挟持片を２組設けたものを示してある。
図中符号１，１が相互に対向して接近離反する一対の一組であり、符号２，２が同じく別の一組であり、これによって二組の挟持片を構成してある。
これら組を構成する各挟持片１、２は、図面に示すように長片と短片からなるＬ字形状をしており、挟持片１の長片を符号１１で、短辺を符号１２で示し、挟持片２の長片を符号２１で、短片を符号２２で示してある。そして、これら各挟持片１、２にはその短片１２、２２の先端に挟持部１０，１０又は２０，２０を設けてある。これら先端の挟持部１０、２０は、ともに挟持片を近接した際にぴったりと衝合する衝合面を有し、これによって極細の線材でもチャックできるようにしてある。
【０００９】
図示した実施例では線材を垂直に緊張してチャックする装置を示してあり、一方の組を構成する挟持片１，１の短片１２の先端の挟持部１０と、他方の組の挟持片２，２の短片２２の先端の挟持部２０は、垂直の線材の線方向、即ち垂直方向に僅かな位置をずらせて配置してあり、各組の挟持片１、２の挟持部１０、２０が垂直に緊張する線材の線方向位置、即ち垂直位置で線材を挟持するようにしてある。そのため、各組を構成する挟持片１及び２は、線材に対して直交する向きに近接離反するようにしてある。
【００１０】
本発明チャック装置は、例えば電線捻回試験機の不動の横材９に下向きに固定して取り付けられており、該横材９に下向きに垂直な支柱３を固設してある。この下向きに垂直な支柱３の下端に、上記挟持片１、２を支持する不動の支持片３０を固設してある。この支持片３０は図５に示すように十字状をしており、その四方に突出する各支持突出片３１にスリット３２を形成し、このスリット３２内に挟持片１、２の長片１１、２１の中間部を介入し、軸ピン１４、２４によって軸支してあり、この軸支構造によって、相互に対向する一対の挟持片１，１又は２，２を揺動可能とし、その挟持部１０又は２０を近接離反するようにしてある。
【００１１】
上記近接離反するように軸支した挟持片１、２は、その長片１１、２１の上部において、各対をなす挟持片間に牽引スプリング１５、２５を掛け渡してあり、これによって常時は短片１２、２２の先端の挟持部１０，１０又は２０，２０が離反位置を占めるようにしてある。そして、各挟持片１、２の長片１１、２１の上端の内側に同じ傾斜角にしてある傾斜部１３、２３を有し、後述する上下動する作動部材を上記長片１１，１１、２１，２１間に介入することにより各挟持片の挟持部１０、２０を近接し線材をチャックするようにしてある。
【００１２】
上記の構成にしてあるから、各挟持部１、２の軸ピン１４、２４の高さ位置は同じにしてあり、各長片１１、２１の上端も同一水平位置にしてあり、各対を構成する挟持片１又は２の挟持部１０又は２０の位置を挟持する線材の線方向に位置をずらせるために、図示した実施例では挟持片１と２の長さを相違させ、軸ピン１４、２４より下方の寸法を相違させてある。
【００１３】
図中符号５が作動部材で、図示するように倒立円錐台形状をしており、この作動部材５が上下動してその円錐台形状の円錐面が上記挟持片１、２の上端内側の傾斜部１３、２３と協働して各挟持片１，１又は２，２の下端挟持部１０，１０又は２０，２０を近接離反するようにしてある。そのために上記支柱３の中間部に捻子３３を設け、上記作動部材５に回転可能に設けたチャック開閉ノブ３４を該捻子３３に螺合し、このチャック開閉ノブ３４を回転作動することにより作動部材５を上下動して、この作動部材５が挟持片１、２の長片１１、１２間に介入離脱して各挟持部１０、２０を近接離反するようにしてある。
【００１４】
上記の通りの構成からなる本発明チャック装置は、図１に示すように作動部材５を上方位置に位置付けると挟持片１，１及び２，２は牽引スプリング１５、２５の牽引力によって、挟持片の長片１１及び２１を近寄せる方向に作動し、挟持部１０，１０及び２０，２０を離反させる。
そこで、チャック開閉ノブ３４を回転させ、上記作動部材５を下動して、これを挟持片１、２の長片１１、２１間に介入すれば、作動部材５の倒立円錐面と、長片１１、２１の上端の傾斜部１３、２３とが協働して、挟持片１、２の上部を開く方向に作動し、下端の挟持部１０，１０及び２０，２０を近接し、この挟持部１０，１０及び２０，２０を衝合させる。従って、この挟持部１０，１０間及び２０，２０間に線材を介在させると、この線材をチャックすることができる。
そして本発明では、挟持片１、２の挟持部１０及び２０を線材の線方向に位置をずらせて位置付けてあるから、きわめて極細の線材でも確実にチャックできるし、この位置をずらせて位置付けてある挟持部１０及び２０を交叉する方向で近接させるから、線材をチャックの中心で挟持でき、緊張する線材の指向方向に合致させてチャックできる。
【００１５】
【発明の効果】
本発明の線材チャック装置は、相互に対向して近接離反する一対の挟持片を複数組設け、各組の挟持片の挟持部を線材の線方向に位置をずらせて配置し、各組を構成する各一対の挟持片が交叉する向きに近接離反するようにし、各組の挟持片の挟持部が線材の線方向位置で線材を挟持するように配置してあるから、きわめて極細の線材でもチャックできるし、また、線材をチャックの中心にしかも緊張した線材の指向方向に直線状にチャックできる。
【００１６】
また、上記一対の挟持片が２組であり、各一対の挟持片が直交する向きに近接離反するようにしてあるから、きわめて極細の線材でもチャックでき、正確な試験結果が得られるチャック装置の構成を簡単にできる利点がある。
さらに、各挟持片が長片と短片からなるＬ字形状をし、各組をなす一対のＬ字形状の挟持片の短片側の先端の挟持部が近接離反するよう、長片の中間部を不動の支持片に回動可能に軸支してあるから、対向する一対の挟持片の挟持部によって確実に線材を挟持できる。
【００１７】
各組の挟持片がそれぞれ対を構成する挟持片の長片間に牽引スプリングを掛け渡して短片側の先端の挟持部が離反する方向の弾性力を付与し、挟持片の長片間に作動部材を介入することにより短片側の先端の挟持部を近接して線材を挟持するようにしてあるから、挟持片の近接離反の作用を簡易な構造によって得られる効果がある。
また、上記挟持片の長片の端部の内側に傾斜部を形成し、作動部材が倒立円錐台形状をしているから挟持片の近接離反作用を円滑に行える。
【００１８】
上記不動の支持片が十字状をし、それぞれの突出片にスリットを形成し、このスリット内に挟持片の長片中間部を介入して軸支してあるから、挟持片の支持構造を簡潔にできる利点がある。
また、不動の支柱の下端に上記支持片を固定し、該支柱に捻子を設け、この捻子に上記作動部材に回転可能に設けたチャック開閉ノブを螺合し、チャック開閉ノブの回転作動により、この作動部材が挟持片の長片間に介入離脱するようにしてあるから、作動部材の作動を正確、円滑にできる。
【図面の簡単な説明】
【図１】本発明の線材チャック装置のチャック開放状態を示す斜面図。
【図２】本発明の線材チャック装置のチャック閉じ状態を示す斜面図。
【図３】本発明の線材チャック装置のチャック閉じ状態を示す正面図。
【図４】本発明の線材チャック装置のチャック閉じ状態を示す側面図。
【図５】本発明の線材チャック装置の分解斜面図。
【符号の説明】
１，２  挟持片
３    支柱
５    作動部材
９    横材
１０，２０    挟持部
１１，２１    長片
１２，２２    短片
１３，２３    傾斜部
１４，２４    軸ピン
１５，２５    牽引スプリング
３０    支持片
３１    突出片
３２    スリット
３３    捻子
３４    チャック開閉ノブ
【図１】
0004503874.tif 000002
【図２】
0004503874.tif 000003
【図３】
0004503874.tif 000004
【図４】
0004503874.tif 000005
【図５】
0004503874.tif 000006